(57)【要約】【課題】動画像に基づく所見の入力作業の容易化を図る。【解決手段】医療情報処理装置１は、医用画像Ｇ（動画像）を基に所見情報を入力する際に、透明なレイヤ（所見入力画面）を医用画像Ｇ上に重ねて表示し、入力された所見情報を所見入力画面に表示する。また、入力された所見情報を時系列に沿って記録した時系列情報Ｔなどを含む入力情報Ｐを生成する。医療情報処理装置１は、医用画像Ｇと所見情報の再生表示において、透明なレイヤ（所見表示画面）を医用画像Ｇ上に重ねて表示し、入力情報Ｐに基づいて、医用画像Ｇと所見情報とを同期させて表示する。表示される所見情報は、静止画像であってもよいし動画像であってもよい。【選択図】図１
2009080545.tif 000002
【特許請求の範囲】
【請求項１】
表示手段と、
操作手段と、
被検者の身体部位の動画像を記憶する記憶手段と、
前記動画像を前記表示手段に表示させるとともに透明又は半透明のレイヤを前記動画像上に重ねて表示させ、前記操作手段から入力された情報を前記レイヤに表示させ、前記操作手段から入力された情報を前記動画像に関連付けて前記記憶手段に記憶させる制御手段と、
を備えることを特徴とする医療情報処理装置。
【請求項２】
前記制御手段は、前記操作手段からの情報の入力の開始及び／又は終了のタイミングに対応する前記動画像のフレームを特定し、前記入力された情報と前記特定されたフレームとを関連付ける関連情報を生成する生成手段とを含み、前記関連情報を前記記憶手段に記憶させる、
ことを特徴とする請求項１に記載の医療情報処理装置。
【請求項３】
前記制御手段は、前記動画像及び前記入力された情報の再生指示を前記操作手段から受けて、前記動画像、前記入力された情報及び前記関連情報を前記記憶手段から読み出し、前記動画像を前記表示手段に表示させるとともに前記レイヤを前記動画像上に重ねて表示させ、前記入力された情報を前記関連情報に基づくタイミングで前記レイヤに表示させる、
ことを特徴とする請求項２に記載の医療情報処理装置。
【請求項４】
前記生成手段は、前記入力の開始タイミングに対応する前記動画像のフレームを少なくとも特定し、前記入力された情報と該特定されたフレームとを少なくとも関連付ける前記関連情報を生成し、
前記制御手段は、前記再生指示を受けて、前記関連情報に基づいて、前記開始タイミングに対応するフレームが表示されるときに、前記レイヤによる前記入力された情報の表示を開始させる、
ことを特徴とする請求項３に記載の医療情報処理装置。
【請求項５】
前記生成手段は、前記入力の終了タイミングに対応する前記動画像のフレームを少なくとも特定し、前記入力された情報と該特定されたフレームとを少なくとも関連付ける前記関連情報を生成し、
前記制御手段は、前記再生指示を受けて、前記関連情報に基づいて、前記終了タイミングに対応するフレームが表示されるときに、前記レイヤによる前記入力された情報の表示を終了させる、
ことを特徴とする請求項３に記載の医療情報処理装置。
【請求項６】
前記生成手段は、前記入力の開始タイミング及び終了タイミングのそれぞれに対応する前記動画像のフレームを特定し、前記入力された情報と該特定された双方のフレームとを関連付ける前記関連情報を生成し、
前記制御手段は、前記再生指示を受けて、前記関連情報に基づいて、前記開始タイミングに対応するフレームが表示されるときに、前記レイヤによる前記入力された情報の表示を開始させ、前記終了タイミングに対応するフレームが表示されるときに、前記レイヤによる前記入力された情報の表示を終了させる、
ことを特徴とする請求項３に記載の医療情報処理装置。
【請求項７】
前記制御手段は、前記再生指示を受けて、前記入力された情報を表す静止画像を前記レイヤに表示させる、
ことを特徴とする請求項３〜請求項６のいずれか一項に記載の医療情報処理装置。
【請求項８】
前記関連情報は、前記入力の終了タイミングに対応するフレームと前記入力された情報とを少なくとも関連付け、
前記静止画像は、前記終了タイミングまでに前記入力された情報を表す、
ことを特徴とする請求項７に記載の医療情報処理装置。
【請求項９】
前記制御手段は、前記操作手段から入力された情報を時系列に沿って記録した時系列情報を生成する生成手段を含み、前記時系列情報を前記記憶手段に記憶させる、
ことを特徴とする請求項１に記載の医療情報処理装置。
【請求項１０】
前記制御手段は、前記身体部位の動画像及び前記入力された情報の再生指示を前記操作手段から受けて、前記身体部位の動画像、前記入力された情報及び前記時系列情報を前記記憶手段から読み出し、前記動画像を前記表示手段に表示させるとともに前記レイヤを前記動画像上に重ねて表示させ、前記時系列情報に基づいて、前記入力された情報を表す動画像を前記身体部位の動画像に同期させて前記レイヤに表示させる、
ことを特徴とする請求項９に記載の医療情報処理装置。
【請求項１１】
前記制御手段は、一つの前記動画像について複数の情報が前記操作手段から入力されたときに、前記複数の情報のそれぞれを前記動画像に関連付けて前記記憶手段に記憶させる、
ことを特徴とする請求項１に記載の医療情報処理装置。
【請求項１２】
前記制御手段は、前記複数の情報のそれぞれの入力の開始及び／又は終了のタイミングに対応する前記動画像のフレームを特定し、前記複数の情報のそれぞれと前記特定されたフレームとを関連付ける関連情報を生成する生成手段とを含み、前記関連情報を前記記憶手段に記憶させる、
ことを特徴とする請求項１１に記載の医療情報処理装置。
【請求項１３】
前記制御手段は、前記動画像及び前記入力された情報の再生指示を前記操作手段から受けて、前記動画像、前記複数の情報及び前記関連情報を前記記憶手段から読み出し、前記動画像を前記表示手段に表示させるとともに前記レイヤを前記動画像上に重ねて表示させ、前記複数の情報のそれぞれを前記関連情報に基づくタイミングで前記レイヤに表示させる、
ことを特徴とする請求項１２に記載の医療情報処理装置。
【発明の詳細な説明】
【技術分野】
【０００１】
この発明は、医療情報を処理する医療情報処理装置に関し、特に、医用画像を参照して行う診断（画像診断）に用いられる医療情報処理装置に関するものである。
【背景技術】
【０００２】
画像診断は、眼科分野や放射線科分野において従来から広く利用されている。近年では、医用画像の種類の増加や画像精度の向上に伴い、画像診断の重要性は益々増大している。
【０００３】
画像診断では、医用画像から傷病の位置や状態を読み取り、その結果を電子カルテに記入している。画像診断の結果は、たとえば、シェーマ図と呼ばれる身体部位の概要図に記入される。シェーマ図に関する処理を行う装置としては、たとえば特許文献１、２に記載の装置がある。ここで、特許文献１に記載の装置は眼科画像に基づく診断に使用され、特許文献２に記載の装置は放射線画像に基づく診断に使用される。
【０００４】
【特許文献１】特開２００４−３５７８０３号公報
【特許文献２】特開２００６−１１０２０２号公報
【発明の開示】
【発明が解決しようとする課題】
【０００５】
ところで、医用画像が動画像である場合には、人体組織や病変部の経時変化を所見として記載する。たとえば、眼科分野においては、眼底の蛍光動画像を参照して眼底血管の血流状態を把握し、それにより新生血管の位置を特定することがある。また、眼底のカラー動画像を参照して眼底の状態を観察することもある。
【０００６】
従来の医療情報処理装置によれば、動画像から把握した所見をシェーマ図に記載していたが、このような記載方法では、動画像に示す状況を十分に描写できないことも少なくなかった。
【０００７】
たとえば、異なるタイミングで発生した事象を一枚のシェーマ図に書き込んだ場合、このシェーマ図をレビューした際に、どのような時間経過を辿って複数の事象が発生しているか把握することは容易でない。また、一枚のシェーマ図に複数の所見を書き込むことになるので、シェーマ図の記入作業も煩雑になってしまう。
【０００８】
一方、複数の事象を複数のシェーマ図に分けて記載することも考えられるが、シェーマ図のレビュー作業が煩雑になるおそれがある。特に、多数の事象が発生した場合には、シェーマ図の枚数が多くなり、レビュー作業が非常に煩雑になることが推測される。更に、レビュー作業において複数のシェーマ図を参照する必要があるため、病変部等の経時変化の把握が困難になるおそれがある。また、所見の記入作業においては、シェーマ図を切り替えつつ所見を記入しなければならず、作業が煩雑になってしまう。
【０００９】
この発明は、以上のような問題を解決するためになされたものであり、動画像に基づく所見の入力作業を容易に行うことが可能な医療情報処理装置を提供することを目的とする。
【００１０】
また、この発明は、動画像に基づく所見の入力内容を容易に把握することが可能な医療情報処理装置を提供することを他の目的とする。
【００１１】
また、この発明は、動画像に基づく所見のレビュー作業を容易に行うことが可能な医療情報処理装置を提供することを他の目的とする。
【課題を解決するための手段】
【００１２】
上記目的を達成するために、請求項１に記載の発明は、表示手段と、操作手段と、被検者の身体部位の動画像を記憶する記憶手段と、前記動画像を前記表示手段に表示させるとともに透明又は半透明のレイヤを前記動画像上に重ねて表示させ、前記操作手段から入力された情報を前記レイヤに表示させ、前記操作手段から入力された情報を前記動画像に関連付けて前記記憶手段に記憶させる制御手段と、を備えることを特徴とする医療情報処理装置である。
【００１３】
また、請求項２に記載の発明は、請求項１に記載の医療情報処理装置であって、前記制御手段は、前記操作手段からの情報の入力の開始及び／又は終了のタイミングに対応する前記動画像のフレームを特定し、前記入力された情報と前記特定されたフレームとを関連付ける関連情報を生成する生成手段とを含み、前記関連情報を前記記憶手段に記憶させる、ことを特徴とする。
【００１４】
また、請求項３に記載の発明は、請求項２に記載の医療情報処理装置であって、前記制御手段は、前記動画像及び前記入力された情報の再生指示を前記操作手段から受けて、前記動画像、前記入力された情報及び前記関連情報を前記記憶手段から読み出し、前記動画像を前記表示手段に表示させるとともに前記レイヤを前記動画像上に重ねて表示させ、前記入力された情報を前記関連情報に基づくタイミングで前記レイヤに表示させる、ことを特徴とする。
【００１５】
また、請求項４に記載の発明は、請求項３に記載の医療情報処理装置であって、前記生成手段は、前記入力の開始タイミングに対応する前記動画像のフレームを少なくとも特定し、前記入力された情報と該特定されたフレームとを少なくとも関連付ける前記関連情報を生成し、前記制御手段は、前記再生指示を受けて、前記関連情報に基づいて、前記開始タイミングに対応するフレームが表示されるときに、前記レイヤによる前記入力された情報の表示を開始させる、ことを特徴とする。
【００１６】
また、請求項５に記載の発明は、請求項３に記載の医療情報処理装置であって、前記生成手段は、前記入力の終了タイミングに対応する前記動画像のフレームを少なくとも特定し、前記入力された情報と該特定されたフレームとを少なくとも関連付ける前記関連情報を生成し、前記制御手段は、前記再生指示を受けて、前記関連情報に基づいて、前記終了タイミングに対応するフレームが表示されるときに、前記レイヤによる前記入力された情報の表示を終了させる、ことを特徴とする。
【００１７】
また、請求項６に記載の発明は、請求項３に記載の医療情報処理装置であって、前記生成手段は、前記入力の開始タイミング及び終了タイミングのそれぞれに対応する前記動画像のフレームを特定し、前記入力された情報と該特定された双方のフレームとを関連付ける前記関連情報を生成し、前記制御手段は、前記再生指示を受けて、前記関連情報に基づいて、前記開始タイミングに対応するフレームが表示されるときに、前記レイヤによる前記入力された情報の表示を開始させ、前記終了タイミングに対応するフレームが表示されるときに、前記レイヤによる前記入力された情報の表示を終了させる、ことを特徴とする。
【００１８】
また、請求項７に記載の発明は、請求項３〜請求項６のいずれか一項に記載の医療情報処理装置であって、前記制御手段は、前記再生指示を受けて、前記入力された情報を表す静止画像を前記レイヤに表示させる、ことを特徴とする。
【００１９】
また、請求項８に記載の発明は、請求項７に記載の医療情報処理装置であって、前記関連情報は、前記入力の終了タイミングに対応するフレームと前記入力された情報とを少なくとも関連付け、前記静止画像は、前記終了タイミングまでに前記入力された情報を表す、ことを特徴とする。
【００２０】
また、請求項９に記載の発明は、請求項１に記載の医療情報処理装置であって、前記制御手段は、前記操作手段から入力された情報を時系列に沿って記録した時系列情報を生成する生成手段を含み、前記時系列情報を前記記憶手段に記憶させる、ことを特徴とする。
【００２１】
また、請求項１０に記載の発明は、請求項９に記載の医療情報処理装置であって、前記制御手段は、前記身体部位の動画像及び前記入力された情報の再生指示を前記操作手段から受けて、前記身体部位の動画像、前記入力された情報及び前記時系列情報を前記記憶手段から読み出し、前記動画像を前記表示手段に表示させるとともに前記レイヤを前記動画像上に重ねて表示させ、前記時系列情報に基づいて、前記入力された情報を表す動画像を前記身体部位の動画像に同期させて前記レイヤに表示させる、ことを特徴とする。
【００２２】
また、請求項１１に記載の発明は、請求項１に記載の医療情報処理装置であって、前記制御手段は、一つの前記動画像について複数の情報が前記操作手段から入力されたときに、前記複数の情報のそれぞれを前記動画像に関連付けて前記記憶手段に記憶させる、ことを特徴とする。
【００２３】
また、請求項１２に記載の発明は、請求項１１に記載の医療情報処理装置であって、前記制御手段は、前記複数の情報のそれぞれの入力の開始及び／又は終了のタイミングに対応する前記動画像のフレームを特定し、前記複数の情報のそれぞれと前記特定されたフレームとを関連付ける関連情報を生成する生成手段とを含み、前記関連情報を前記記憶手段に記憶させる、ことを特徴とする。
【００２４】
また、請求項１３に記載の発明は、請求項１２に記載の医療情報処理装置であって、前記制御手段は、前記動画像及び前記入力された情報の再生指示を前記操作手段から受けて、前記動画像、前記複数の情報及び前記関連情報を前記記憶手段から読み出し、前記動画像を前記表示手段に表示させるとともに前記レイヤを前記動画像上に重ねて表示させ、前記複数の情報のそれぞれを前記関連情報に基づくタイミングで前記レイヤに表示させる、ことを特徴とする。
【発明の効果】
【００２５】
この発明に係る医療情報処理装置は、被検者の身体部位の動画像に基づいて情報を入力するときに、透明又は半透明のレイヤを動画像上に重ねて表示し、入力された情報をレイヤに表示させるように作用する。更に、この医療情報処理装置は、入力された情報を動画像に関連付けて記憶するように作用する。
【００２６】
このような医療情報処理装置によれば、動画像上に直接に入力するような感覚で情報を入力することができ、動画像に基づく所見の記入作業を容易に行うことが可能になる。
【００２７】
また、この発明に係る医療情報処理装置は、動画像に基づいて情報を入力するときに、情報の入力の開始や終了のタイミングに対応する動画像のフレームを特定し、入力された情報と特定されたフレームとを関連付ける関連情報を生成する。更に、この医療情報処理装置は、動画像と入力された情報とを再生表示するときに、透明又は半透明のレイヤを動画像上に重ねて表示し、関連情報に基づくタイミングで、入力された情報を表示する。
【００２８】
このような医療情報処理装置によれば、動画像及び情報の再生表示において、情報の入力時と同じタイミングで、この情報の表示を開始し終了することができる。それにより、動画像に基づく所見の入力内容を容易に把握することができる。また、動画像に基づく所見のレビュー作業を容易に行うことが可能になる。
【００２９】
また、この発明に係る医療情報処理装置は、動画像に基づいて情報を入力するときに、入力された情報を時系列に沿って記録した時系列情報を生成する。更に、この医療情報処理装置は、動画像と入力された情報とを再生表示するときに、透明又は半透明のレイヤを動画像上に重ねて表示し、時系列情報に基づいて、入力された情報を表す動画像を身体部位の動画像に同期させてレイヤに表示させる。
【００３０】
このような医療情報処理装置によれば、動画像及び情報の再生表示において、情報の入力時と同じタイミングで、この情報の表示を開始し終了することができる。それにより、動画像に基づく所見の入力内容を容易に把握することができる。また、動画像に基づく所見のレビュー作業を容易に行うことが可能になる。
【００３１】
更に、この医療情報処理装置によれば、入力された情報の動画像と身体部位の動画像とを同期させて表示できるので、入力時の状況を再現するように動画像と情報とを表示することができる。それにより、所見の入力内容の把握の更なる容易化を図ることが可能になる。
【発明を実施するための最良の形態】
【００３２】
この発明に係る医療情報処理装置の実施形態の一例について、図面を参照しながら詳細に説明する。
【００３３】
この実施形態に係る医療情報処理装置は、動画像からなる医用画像を下絵として所見を記入することを可能とするものである。
【００３４】
ここで、動画像とは、時系列に沿って所定の時間間隔で取得された複数の静止画像を意味する。この定義によれば、動画像には、一般的な意味での動画像（ａｎｉｍａｔｉｏｎ）だけでなく、複数の画像を順番に表示させるスライド・ショー（ｓｌｉｄｅ  ｓｈｏｗ）なども含まれる。動画像を形成する複数の静止画像のそれぞれをフレーム（ｆｒａｍｅ）と称することがある。
【００３５】
［装置構成］
図１は、この実施形態に係る医療情報処理装置の機能的構成の例を表している。この医療情報処理装置１は、医師等が使用するコンピュータを含んで構成される。このコンピュータは、たとえば、院内ＬＡＮ（Ｌｏｃａｌ  Ａｒｅａ  Ｎｅｔｗｏｒｋ）等の通信回線を介して、医用画像やカルテ情報を保管し管理するデータベースに接続されている。カルテ情報とは、電子カルテとして利用される情報である。なお、医療情報処理装置１は、コンピュータ単体により構成されてもよいし、データベース等の記憶装置を含んで構成されてもよい。
【００３６】
また、医療情報処理装置１は、通信回線を介して各種の撮影装置や検査装置に接続されていてもよい。たとえば眼科分野で用いられる撮影装置としては、たとえば、眼底カメラ、スリットランプ（細隙灯顕微鏡）、ＯＣＴ（Ｏｐｔｉｃａｌ  Ｃｏｈｅｒｅｎｃｅ  Ｔｏｍｏｇｒａｐｈｙ）装置、ＳＬＯ（Ｓｃａｎｎｉｎｇ  Ｌａｓｅｒ  Ｏｐｈｔｈａｌｍｏｓｃｏｐｅ）装置などがある。また、眼科以外の分野においては、Ｘ線ＣＴ（Ｃｏｍｐｕｔｅｄ  Ｔｏｍｏｇｒａｐｈｙ）装置や、ＭＲＩ（Ｍａｇｎｅｔｉｃ  Ｒｅｓｏｎａｎｃｅ  Ｉｍａｇｉｎｇ）装置等の被検体の内部形態や機能を撮影する医用画像診断装置など、各診療科の診療内容に応じた各種の撮影装置が用いられる。
【００３７】
また、眼科分野で用いられる検査装置としては、たとえば、視力検査装置、オートレフラクトメータ、オートケラトメータ、眼圧計、視野計、眼軸長計測装置などがある。眼科以外の分野においては、各診療科に応じた各種の検査装置が用いられる。
【００３８】
医療情報処理装置１には、図１に示すように、制御部１１、記憶部１２、操作部１３及び表示部１４が設けられている。
【００３９】
〔制御部〕
制御部１１は、医療情報処理装置１の各部を制御する。たとえば、制御部１１は、表示部１４に各種の画面やデータを表示させる。また、制御部１１は、操作部１３が操作されたときに、その操作内容に応じた処理を医療情報処理装置１に実行させる。
【００４０】
また、制御部１１は、医用画像の処理を行うとともに、所見情報等のカルテ情報を処理する。これらの処理の内容については後述する。制御部１１は、この発明の「制御手段」の一例である。
【００４１】
ここで、所見情報とは、主として医師により作成される情報であり、患者の所見を表す情報である。所見情報としては、シェーマ図等の画像情報、コメント等の文字情報（文字所見）、定型的な図形情報やコメント情報などがある。なお、この定型的な情報は、たとえばテキストボックスや入力パレットなど、定型的なオブジェクトが選択可能に呈示する機能を用いて入力される。
【００４２】
また、シェーマ図は、一般的には、身体部位のテンプレート画像（下絵画像）上に病変部や治療部位を示す領域を書き込んだり、病名やコメント等を記載したりして作成される画像情報であるが、この実施形態では、身体部位を撮影した画像を下絵として記入されるものもシェーマ図に含まれるものとする。特に、この実施形態では、身体部位を撮影して得られた動画像を下絵として記入されるシェーマ図を取り扱う。
【００４３】
制御部１１には、主制御部１１１、入力タイミング特定部１１２及び入力情報生成部１１３が設けられている。
【００４４】
（主制御部）
主制御部１１１は、表示部１４による表示処理の制御を行う。特に、主制御部１１１は、医用画像や各種医療情報を表示部１４に表示させる。これらの情報の表示態様については後述する。
【００４５】
また、主制御部１１１は、各種の画面を表示部１４に表示させる。表示される画面としては、たとえば、所見情報を入力するための画面、画像や所見情報を表示するための画面、表示させる画像や所見情報を選択するための画面などがある。
【００４６】
また、主制御部１１１は、記憶部１２からのデータの読み出し処理や、記憶部１２に対するデータの書き込み処理を行う。
【００４７】
また、主制御部１１１は、院内ＬＡＮ等の通信回線を介してデータ通信を行うＬＡＮカード等の通信インターフェイスを備えていてもよい。この場合、記憶部１２は、前述のデータベースを含んでいてもよい。
【００４８】
また、主制御部１１１は、所見情報を処理する。特に、所見情報を入力するための画面（所見入力画面）に呈示される情報や入力される情報を処理する。その一例として、所見として入力された情報の管理を行う。
【００４９】
（入力タイミング特定部）
入力タイミング特定部１１２は、動画像からなる医用画像に基づいて所見情報を入力するときに動作し、所見情報の入力作業を開始するタイミングや終了するタイミングに対応する動画像のフレームを特定する。これらのタイミングは、入力情報を生成する処理の開始トリガ及び終了トリガとなる（後述）。
【００５０】
なお、入力タイミング特定部１１２は、入力作業の開始タイミング及び終了タイミングの一方又は双方について、対応するフレームを特定する。この実施形態では、双方のタイミングに対応するフレームを特定する処理について特に詳しく説明する。以下、入力タイミング特定部１１２が実行する処理についてより詳しく説明する。
【００５１】
この実施形態では、後述のように、動画像上にレイヤ（ｌａｙｅｒ）を表示させ、このレイヤ上に所見情報を入力することにより、あたかも動画像上に所見情報を記入する感覚で所見情報の入力作業を行うようになっている。このレイヤを所見入力画面と呼ぶことがある。また、このような重畳表示は、オーバーレイ（ｏｖｅｒｌａｙ）表示などと呼ばれる。
【００５２】
なお、レイヤとは、透明又は半透明の画面を意味する。それにより、動画像上にレイヤを重畳させても、オペレータは動画像を観察することができる。レイヤは、公知の任意の手法により生成することができる。たとえば、不透明度やアルファ値など、重畳される画面や画像の透明度合いを設定可能な任意のパラメータを用いることによりレイヤを生成することが可能である。また、レイヤは、予め生成されて記憶部１２に記憶されていてもよいし、動画像に関する処理を行う度毎に生成するようにしてもよい。また、動画像とレイヤとを重畳表示させるときには、たとえばアルファ・ブレンディング（ａｌｐｈａ  ｂｌｅｎｄｉｎｇ）など、任意の公知の手法を用いることができる。
【００５３】
所見入力画面が表示されるとき、主制御部１１１は、表示部１４に開始ボタンと終了ボタンとを表示させる。開始ボタンは、所見情報の入力作業を開始するために操作される。終了ボタンは、所見情報の入力作業を終了するために操作される。これらのボタンは、所見入力画面上に配設されたソフトウェアキーであってもよいし、所見入力画面上に重畳表示されたソフトウェアキーであってもよい。オペレータは、操作部１３によって所定の操作（たとえばボタンのクリック操作）を行うことにより、開始ボタンや終了ボタンを操作する。
【００５４】
前述のように、所見入力画面は身体部位の動画像上に呈示される。主制御部１１１は、動画像を構成する複数のフレームを、所定のフレームレートで順次に表示部１４に表示させることにより動画像を表示させる。各フレームには識別情報が予め付されている。主制御部１１１は、表示させるフレームを切り替える度毎に、新たなフレームの識別情報を入力タイミング特定部１１２に送る。
【００５５】
オペレータは、所見入力画面を透して動画像を観察しつつ、任意のタイミングで開始ボタンを操作する。操作部１３は、この操作内容に対応する信号（入力開始信号）を主制御部１１１に入力する。主制御部１１１は、この入力開始信号を入力タイミング特定部１１２に送る。
【００５６】
入力タイミング特定部１１２は、この入力開始信号を受ける直前に受けたフレームの識別情報を特定する。つまり、入力タイミング特定部１１２は、この入力開始信号を受ける以前に受け付けた最新のフレームの識別情報を特定する。更に、入力タイミング特定部１１２は、入力開始を指示する信号（入力開始指示信号）を生成する。そして、入力タイミング特定部１１２は、この入力開始指示信号を、特定されたフレームの識別情報とともに入力情報生成部１１３に送る。入力情報生成部１１３は、入力開始指示信号を受けたことに対応し、所定の入力情報の生成処理を開始する。入力情報の生成処理については後述する。
【００５７】
同様に、終了ボタンが操作されると、操作部１３は、この操作内容に対応する信号（入力終了信号）を主制御部１１１に入力する。主制御部１１１は、この入力終了信号を入力タイミング特定部１１２に送る。
【００５８】
入力タイミング特定部１１２は、この入力終了信号を受ける直前に受けたフレームの識別情報を特定する。つまり、入力タイミング特定部１１２は、この入力終了信号を受ける以前に受け付けた最新のフレームの識別情報を特定する。更に、入力タイミング特定部１１２は、入力終了を指示する信号（入力終了指示信号）を生成し、この入力終了指示信号を、特定された識別情報とともに入力情報生成部１１３に送る。入力情報生成部１１３は、入力終了指示信号を受けたことに対応して入力情報の生成処理を終了する。
【００５９】
上記の処理におけるフレームの識別情報の例としては、画像ＩＤ等の文字列情報や、時間情報などがある。時間情報とは、たとえば動画像全体の時間の流れ（時間軸）におけるフレームの時間（時刻）を表す情報を意味する。
【００６０】
動画像の時間軸の例としては、動画像の撮影時に付与された時間軸がある。この時間軸は、たとえば、動画像の撮影開始タイミングを時刻０（原点）とし、この原点からの経過時間により定義される。この経過時間は、たとえば、一般的なコンピュータ（マイクロプロセッサ）が具備する計時機能を利用して計測できる。動画像の各フレームには、この時間軸による経過時間が対応付けられ、この経過時間が当該フレームの識別情報として取り扱われる。なお、動画像の撮影開始タイミングの時刻は０である必要はなく、たとえば動画像の撮影開始日時を用いることも可能である。
【００６１】
動画像の時間軸の他の例として、動画像の再生時（所見情報の入力作業時）に付与される時間軸がある。このとき、制御部１１は、計時機能を奏する計時手段（マイクロプロセッサ）を含んで構成される。計時手段は、制御部１１に含まれる構成部分の少なくともいずれかに設けられてもよいし、これらの構成部分とは別途に設けられてもよい。
【００６２】
計時手段は、たとえば動画像の再生開始とともに計時を開始する。主制御部１１１（或いは入力タイミング特定部１１２）は、動画像の各フレームが表示されるタイミングにおける計時時間を、そのフレームの識別情報として設定する。
【００６３】
動画像の時間軸は、上記の例に限定されるものではない。また、入力作業の開始や終了のタイミングに対応するフレームを特定する処理についても、上記の例に限定されるものではない。
【００６４】
所見情報の入力作業を一旦終了した後に再開したい場合には、開始ボタンを再度操作すればよい。それにより、上記と同様の処理が実行され、所見情報の入力作業を再度行うことができる。
【００６５】
このように複数の所見情報を一つの動画像に対して入力する場合に、入力タイミング特定部１１２は有効に機能する。特に、過去に入力された複数の所見情報を、その入力タイミングに合わせて逐次に表示させる場合に（後述）、入力タイミング特定部１１２は有効性を発揮する。これについて以下に説明する。
【００６６】
一つの動画像に対して複数の所見情報を入力するときには、一の所見情報と他の所見情報とを入力タイミングによって区別することは難しい。ここで、所見情報の単位は、オペレータが一括りと判断する複数の情報を含んでいてもよい。その具体例として、注目部位の位置を示すマークと、この注目部位に関するコメントとは一つの所見情報として括ることができる。なお、後述のように、所見情報の入力位置や入力タイミングに基づいて、所見情報のグループ分けを自動的に行うように構成することも可能である。
【００６７】
また、終了ボタンが操作されたことに対応し（又は、開始ボタンが再度操作されたことに対応し：以下同様）、所見情報が入力されたレイヤから新たなレイヤ（所見情報の入力無し）に切り替え表示するようにしてもよい。また、終了ボタンが操作されたことに対応し、新たなレイヤを更に重畳表示するようにしてもよい。
【００６８】
（入力情報生成部）
入力情報生成部１１３は、オペレータが入力した所見情報を表す入力情報を生成する。入力情報の生成処理は、前述のように、開始ボタンの操作に対応して開始され、終了ボタンの操作に対応して終了される。
【００６９】
入力情報には、オペレータが入力した所見情報の内容とともに、所見情報の入力タイミングを表す情報も含まれる。特に、入力情報には、以下に説明する時系列情報や関連情報などが含まれる。
【００７０】
入力情報生成部１１３は、特に、オペレータが入力した所見情報を時系列に沿って記録した時系列情報を生成する。すなわち、オペレータは、動画像を観察しながら所見情報を入力するが、その入力作業には少なくとも数秒程度の時間が掛かる。また、複数の所見情報を入力する場合には、各所見情報の入力タイミングが異なる。入力情報生成部１１３は、このようにして入力される所見情報について、その入力内容と入力タイミングとを関連付けることにより時系列情報を生成する。
【００７１】
時系列情報を生成する処理の具体例を説明する。表示部１４には、所見情報を入力するためのツール（ｔｏｏｌ）として、前述のように、テキストボックスや入力パレットなど、定型的なオブジェクトを入力するための入力ツールが表示される。また、表示部１４には、シェーマ図等を手入力するためのポインタ（ｐｏｉｎｔｅｒ）や、文字所見等を手入力するための入力スペースなどが表示される。
【００７２】
開始ボタンの操作後、オペレータは、操作部１３を適宜に操作して所見情報を入力する。このとき、主制御部１１１は、上記の入力ツールの操作状況や、ポインタの位置情報（たとえば所見入力画面上における位置情報）を所定の時間間隔で取得し、その取得内容を計時時間に関連付けて入力情報生成部１１３に送る。この取得処理は、たとえば、入力ツール内のキーが操作された旨の操作信号を検出したり、ポインタ位置を検出したりすることによって実行される。なお、ペン・タブレット（ｐｅｎ  ｔａｂｌｅｔ）など、手書き入力が可能なユーザインターフェイスを用いる場合には、その操作部（ペン等）の表示部上における位置が検出される。このようにして取得される情報は、所見情報の入力状況を反映する情報である。
【００７３】
入力情報生成部１１３は、主制御部１１１から入力される情報、つまり所見情報の入力内容と計時時間とを関連付ける情報を、当該計時時間に基づき時系列に配列させることにより、時系列情報を生成する。
【００７４】
なお、入力情報生成部１１３が計時手段を具備している場合には、次のような処理により時系列情報を生成することができる。入力情報生成部１１３は、たとえば動画像の再生開始とともに計時を開始する。主制御部１１１は、所見情報の入力内容を取得し、その取得内容を直ちに入力情報生成部１１３に送る。入力情報生成部１１３は、取得内容を受けたときの計時時間を当該取得内容に関連付ける。入力情報生成部１１３は、逐次に入力される取得内容について、同様の処理を行い、これらの取得内容を時系列に沿って配列させることにより時系列情報を生成する。
【００７５】
時系列情報の例を図２に示す。この時系列情報Ｔは、計時時間（ＴＩＭＥ）と所見情報の入力内容（ＩＮＰＵＴ）とを関連付けている。入力内容を取得する時間間隔は、０．０４秒に設定されている。この時間間隔は、デフォルトで設定されたものであってもよいし、オペレータ等が任意に設定したものであってもよい。この時間間隔は、たとえば動画像のフレーム間隔（フレームを切り替える時間間隔：フレームレートの逆数）と同じに設定される。なお、複数の静止画像をスライド・ショー表示する場合には、画像の切り替え間隔よりも短い時間間隔に設定されることが望ましい。
【００７６】
また、時系列情報Ｔの入力内容の欄には、入力内容や操作内容を表す各種の文字列が記録される。文字列「ＳＴＡＲＴ」は、開始ボタンの操作タイミング、つまり所見情報の入力作業の開始タイミングを表す。文字列「ＥＮＤ」は、終了ボタンの操作タイミング、つまり所見情報の入力作業の終了タイミングを表す。文字列「ＣＵＲＳＯＲ」は、マウスやペン・タブレット等の位置（カーソル位置）を表す。文字列「ＣＩＲＣＬＥ」は、定型的なオブジェクトの例である円形のマークを表す。文字列「ＣＯＭＭＥＮＴ」は、定型的なコメントや手書きの文字所見を表す。これらの文字列は、操作部１３からの操作信号の種別に応じて入力情報生成部１１３が選択して記録する。
【００７７】
また、文字列「ＣＩＲＣＬＥ」の後に続く文字列「＿１」は、今回の入力作業において第１番目に入力された円形マークであることを意味する。文字列「ＣＯＭＭＥＮＴ」の後に続く文字列「＿１」についても同様である。
【００７８】
このような文字列「＿ｋ」（第ｋ番目に入力されたことを意味する）は、たとえば次のようにして記録される。各入力項目に対応するカウンタを入力情報生成部１１３に設ける。入力情報生成部１１３は、或る入力内容を受けたときに、この入力内容に対応する入力項目を特定し、その入力項目のカウンタの値に１を加える（カウンタの初期値は０とする）。そして、入力情報生成部１１３は、加算後のカウンタ値ｋに対応する文字列「＿ｋ」を、当該入力内容の文字列の後に付加する。
【００７９】
文字列「＿ｋ」により識別されるオブジェクトは、必要に応じて、その入力内容が入力情報内に記録される。たとえば、文字列「ＣＩＲＣＬＥ＿１」で識別される円形マークのサイズ（半径等）を表す情報が、入力情報内に記録される。また、文字列「ＣＯＭＭＥＮＴ＿１」で識別されるコメントの内容（たとえば、文字情報「注意」、「新生血管」等）が、入力情報内に記録される。時系列情報Ｔ中の文字列と、別途記録される入力内容とは、文字列「ＣＯＭＭＥＮＴ＿１」等の識別情報により関連付けられている。
【００８０】
また、文字列（Ｘ，Ｙ）は、所見入力画面上に予め設定された２次元座標系（ＸＹ座標系）による座標値を表す。このＸＹ座標系は、たとえば、画面の左上端を原点（０，０）とし、右方向に向かって＋Ｘ方向が、下方向に向かって＋Ｙ方向がそれぞれ定義された座標系である。
【００８１】
なお、文字列「ＣＩＲＣＬＥ」の後の座標値は、たとえば円形マークの中心位置を表す。また、文字列「ＣＯＭＭＥＮＴ」の後の座標値は、コメントの引き出し線が指す位置を表す。他のオブジェクトについても同様に、座標値が適宜に決定されて付与される。
【００８２】
時系列情報Ｔに示す所見情報の入力状況によれば、動画像の再生開始から２．６０秒経過した時点で入力作業開始の操作がなされている。そして、２．８０秒経過時点から２．９６秒経過時点までの間に、カーソルが５点を経由している。これら５点は、矩形の領域の頂点に位置することが分かる（最初と最後の点の位置は同じである）。この矩形の領域は、マウスやペン・タブレットを用いて手入力されたものである。
【００８３】
３．１２秒経過時点には、位置（６２，７４）を中心とする円形マークが入力されている。更に、３．２０秒経過時点には、この円形マークの中心と同じ位置にコメントが入力されている。
【００８４】
更に、３．４４秒経過時点から３．５２秒経過時点までの間に、カーソルが３点を経由している。これら３点は、たとえば血管の走行位置に沿って手入力された曲線を表している。そして、３．６４秒経過時点では、入力作業終了の操作がなされている。これ以降の入力状況の図示及び説明は省略する。
【００８５】
なお、図２の時系列情報Ｔには、所見情報の入力がなされていない時間の欄も含まれているが、所見情報の入力がなされた時間の欄のみを含む時系列情報を生成することも可能である。
【００８６】
また、時系列情報Ｔには、入力作業の開始タイミング（文字列「ＳＴＡＲＴ」）と終了タイミング（文字列「ＥＮＤ」）が含まれている。これらの情報は、入力タイミング特定部１１２による開始タイミングや終了タイミングに対応するフレームの特定結果に基づいて記録されるものである。
【００８７】
時系列情報の時間の欄に示す時間間隔が動画像のフレームレートに等しい場合、開始タイミングの時間と、開始ボタンが操作されたときに表示されていたフレームとは、一対一に対応する。終了タイミングについても同様である。また、時間の欄の時間間隔とフレームレートについて、一方が他方の倍数になっている場合などについても同様である。これらの場合、時系列情報Ｔは関連情報を含むことになる。
【００８８】
関連情報は、入力された所見情報と動画像のフレームとを関連付ける情報であり、より詳しくは、一の所見情報に対して、その入力開始タイミングや入力終了タイミングを関連付ける情報である。たとえば、関連情報は、上記の矩形の領域（所見情報）に対して、その入力開始タイミングである計時時間「２．８０」や、入力終了タイミングである計時時間「２．９６」を関連付ける。なお、これらの計時時間は、動画像のフレームに対応付け可能であるので、この関連情報は、所見情報とフレームとを関連付けるものと言える。
【００８９】
なお、時系列情報とは別に関連情報を生成することも可能である。その場合、たとえば、入力情報生成部１１３は、時系列情報Ｔにおける所見情報の入力開始タイミングや入力終了タイミングの情報を生成するときと同様にして関連情報を生成する。
【００９０】
また、他の方法として、入力情報生成部１１３は、開始タイミングを表す識別情報（たとえば、「ＣＵＲＳＯＲ（４１，５７）」のように、一の所見情報の入力開始時の文字列）と、入力タイミング特定部１１２により特定されたフレームの識別情報や計時時間とを関連付けることにより関連情報を生成することができる。終了タイミングに関する関連情報も同様に生成できる。
【００９１】
入力情報生成部１１３は、以上のようにして生成された時系列情報や関連情報などを含む入力情報Ｐを生成し、主制御部１１１に送る。主制御部１１１は、この入力情報Ｐを記憶部１２に記憶させる。
【００９２】
図２の時系列情報Ｔは、上記のように、計時時間と所見情報の入力内容とを記録している。この時系列情報Ｔはテキストデータとして生成される。それにより、入力情報Ｐのデータサイズを小さくすることができ、記憶部１２（ハードディスクドライブ等）の記憶容量を節約できるとともに、データ処理時における制御部１１（マイクロプロセッサやＲＡＭ等）への負担を小さくすることができる。
【００９３】
なお、記憶部１２の記憶容量が十分に大きい場合や、制御部１１の処理速度が十分に大きい場合などには、画像データを用いて入力情報を生成してもよい。たとえば、所見入力画面（レイヤ）を所定の時間間隔（たとえば動画像のフレーム間隔）で更新し、各レイヤの画像データを入力情報に含めることができる。
【００９４】
入力情報生成部１１３は、この発明の「生成手段」の一例として作用する。なお、この実施形態では、時系列情報を生成する生成手段と、関連情報を生成する生成手段とが同一であるが、これらの生成手段を個別に設けることも可能である。
【００９５】
〔記憶部〕
記憶部１２は、各種の情報を記憶する。記憶部１２には、たとえば、医用画像Ｇ、入力情報Ｐ及び撮影情報Ｑが記憶される。なお、記憶部１２は、単一の記憶装置により構成されていてもよいし、複数の記憶装置により構成されていてもよい。
【００９６】
また、記憶部１２は、コンピュータに搭載された記憶装置を含んで構成されていてもよいし、前述のデータベースを含んで構成されていてもよい。後者の場合、たとえば、記憶部１２には、通信回線を介してデータ通信を行う通信インターフェイスが設けられる。なお、このデータベースとしては、たとえばＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）等のシステムが用いられる。記憶部１２は、この発明の「記憶手段」の一例である。
【００９７】
医用画像Ｇは、被検者の身体部位を撮影して得られた動画像である。また、入力情報Ｐは、入力情報生成部１１３により生成されたものである。
【００９８】
撮影情報Ｑには、医用画像Ｇの撮影条件が含まれる。撮影条件には、医用画像Ｇを撮影した装置の識別情報、撮影日時、撮影種別、撮影画角、撮影画素数、身体部位の識別情報など、医用画像Ｇを撮影する際に考慮された各種の情報が含まれる。たとえば、眼科分野においては、撮影装置（眼底カメラ等）の識別情報、撮影種別（カラー撮影、フルオレセイン蛍光撮影、インドシアニングリーン蛍光撮影等）の識別情報、被検眼が左眼であるか右眼であるかを識別する情報（撮影眼情報）などが撮影情報Ｑに含まれる。
【００９９】
また、撮影情報Ｑには、患者ＩＤ等の患者識別情報、患者氏名や性別等の患者個人情報、撮影者の識別情報などが含まれていてもよい。また、撮影情報Ｑは、カルテ情報などを含んでいてもよい。
【０１００】
〔操作部〕
操作部１３は、オペレータが医療情報処理装置１を操作するときや、所見情報等の各種情報を入力するときに使用される。操作部１３は、オペレータによる操作を受けると、その操作内容に応じた信号（操作信号）を生成して主制御部１１１に入力する。主制御部１１１は、この信号に基づいて医療情報処理装置１を制御する。
【０１０１】
操作部１３は、キーボード、マウス、トラックボール、ジョイスティック、コントロールパネルなど、任意の操作デバイスや入力デバイスを含んで構成される。操作部１３は、この発明の「操作手段」の一例である。
【０１０２】
〔表示部〕
表示部１４は、主制御部１１１の制御にしたがって各種の画面やデータを表示する。表示部１４は、ＬＣＤ（Ｌｉｑｕｉｄ  Ｃｒｙｓｔａｌ  Ｄｉｓｐｌａｙ）や、ＣＲＴ（Ｃａｔｈｏｄｅ  Ｒａｙ  Ｔｕｂｅ）ディスプレイなど、任意の表示デバイスから構成される。表示部１４は、この発明の「表示手段」の一例である。
【０１０３】
なお、図１では、操作部１３と表示部１４とをそれぞれ別個に記載しているが、たとえばペン・タブレットやタッチパネル方式のＬＣＤのように、操作手段と表示手段とを一体化したデバイスを用いることも可能である。
【０１０４】
［ハードウェア構成］
医療情報処理装置１のハードウェア構成について説明する。図３は、医療情報処理装置１のハードウェア構成の一例を表している。この医療情報処理装置１は、コンピュータ１００とデータベース２００を含んで構成されている。
【０１０５】
コンピュータ１００は、各種の医療情報の閲覧作業や編集作業などに用いられる。データベース２００は、各種の医療情報を保管し管理するサーバ等を含む。データベース２００が保管する情報としては、医用画像やカルテ情報などがある。
【０１０６】
コンピュータ１００とデータベース２００は、院内ＬＡＮ等の通信回線Ｎを介して接続されている。オペレータは、医療情報の閲覧や編集の要求をコンピュータ１００に入力する。この要求は、たとえば、患者ＩＤ等の患者識別情報を入力又は選択し、所定のソフトキー（医療情報の検索を指示するソフトキー）をクリックすることにより行う。コンピュータ１００は、入力された要求をデータベース２００に送信する。データベース２００は、この要求に基づいて医療情報を検索し、その検索結果をコンピュータ１００に送信する。コンピュータ１００は、この検索結果、すなわち医療情報を表示する。
【０１０７】
次に、コンピュータ１００及びデータベース２００の構成例を説明する。コンピュータ１００は、たとえば、図１の制御部１１、記憶部１２、操作部１３及び表示部１４として機能する。また、データベース２００は、記憶部１２として機能する。
【０１０８】
コンピュータ１００は、一般的なコンピュータと同様に、ＣＰＵ等のマイクロプロセッサ１０１、主記憶装置として機能するＲＡＭ１０２、外部記憶装置として機能するＲＯＭ１０３、同じく外部記憶装置として機能するハードディスクドライブ（ＨＤＤ）１０４を含む。更に、コンピュータ１００は、ペン・タブレット１０５、ディスプレイ１０６、キーボード１０７、マウス１０８及び通信インターフェイス（Ｉ／Ｆ）１０９を含んで構成されている。これら各部は、バス１１０を介して接続されている。なお、コンピュータ１００には、プリンタやドライブ装置等の外部機器が接続されていてもよい。
【０１０９】
マイクロプロセッサ１０１は、ハードディスクドライブ１０４に格納されたプログラム１０４ａをＲＡＭ１０２上に展開することにより、この実施形態に特有の動作をコンピュータ１００に実行させる。
【０１１０】
また、マイクロプロセッサ１０１は、コンピュータ１００の各部の制御や各種の演算処理を実行する。制御部１１は、マイクロプロセッサ１０１を含んで構成される。
【０１１１】
ペン・タブレット１０５、ディスプレイ１０６、キーボード１０７、マウス１０８は、コンピュータ１００のユーザインターフェイスとして使用される。ペン・タブレット１０５は、コンピュータ１００の本体にたとえばＵＳＢ（Ｕｎｉｖｅｒｓａｌ  Ｓｅｒｉａｌ  Ｂｕｓ）接続される。ペン・タブレット１０５は、操作部１３及び表示部１４として機能する。ディスプレイ１０６は、表示部１４として機能する。
【０１１２】
キーボード１０７は、文字や数字等をタイピング入力するためのデバイスである。マウス１０８は、ディスプレイ１０６に表示されるポインタを移動させて表示画面上のオブジェクトを選択したり、各種動作を実行させたりするためのポインティングデバイスである。キーボード１０７やマウス１０８は、操作部１３として機能する。
【０１１３】
通信インターフェイス１０９は、マイクロプロセッサ１０１の制御に基づいて、通信回線Ｎを介したデータ通信を行う。通信インターフェイス１０９は、通信回線Ｎに準拠したＬＡＮカード等のネットワークアダプタを含んで構成される。通信インターフェイス１０９は、たとえば制御部１１に含まれる。
【０１１４】
データベース２００は、たとえば図３のコンピュータ１００と同様のハードウェア構成を有する。データベース２００は、大量の医用画像やカルテ情報等のデータを保管するために、大容量の記憶装置を備えていることが望ましい。データベース２００としては、たとえば汎用のファイルサーバを用いることができる。
【０１１５】
［動作態様］
医療情報処理装置１の動作態様について説明する。図４〜図６に示すフローチャートは、医療情報処理装置１の動作態様の一例を表す。図４のフローチャートは、動画像を参照して所見情報を入力する作業における動作態様を表す。図５及び図６のフローチャートは、それぞれ、過去に入力された所見情報と動画像とを閲覧する作業における動作態様を表す。
【０１１６】
〔所見情報の入力〕
所見情報の入力作業における医療情報処理装置１の動作態様について、図４を参照しつつ説明する。この動作態様の前提として、記憶部１２には医用画像Ｇ（動画像）と撮影情報Ｑが予め記憶されている。また、この動作態様の最初の段階においては記憶部１２に入力情報Ｐは記憶されていない（ただし、医用画像Ｇについて過去に生成された入力情報や、他の医用画像に関する入力情報は記憶されていてもよい）。
【０１１７】
医用画像Ｇは、図示しない複数のフレームＧ１〜ＧＭ（Ｍ≧２）を含んでいる。ここで、フレームＧ１〜ＧＭは、時系列の順に並んでいるものとする。
【０１１８】
まず、主制御部１１１は、たとえばオペレータの指示に対応して、医用画像Ｇ（動画像）を記憶部１２から読み出して表示可能な状態にする（Ｓ１）。この表示可能な状態は、たとえば、医用画像Ｇの最初のフレームＧ１（静止画像）を表示部１４に表示した状態である。
【０１１９】
更に、主制御部１１１は、医用画像Ｇの最初のフレームＧ１上に所見入力画面（レイヤ）を重ねて表示させる（Ｓ２）。また、主制御部１１１は、開始ボタン、終了ボタン、所見情報を入力するための各種ツール（入力ツール）などを表示部１４に表示させる（Ｓ３）。
【０１２０】
オペレータにより医用画像Ｇの動画表示の指示がなされると（Ｓ４）、主制御部１１１は、フレームＧ１〜ＧＭを所定のフレームレートで順次に切り替えて表示部１４に表示させることにより、医用画像Ｇを動画表示させる（Ｓ５）。
【０１２１】
オペレータは、医用画像Ｇを観察しつつ、任意のタイミングで操作部１３を用いて開始ボタンを操作する（Ｓ６）。主制御部１１１は、操作部１３からの入力開始信号を入力タイミング特定部１１２に送る。
【０１２２】
入力開始信号を受けた入力タイミング特定部１１２は、所見情報の入力作業の開始タイミングに対応する医用画像Ｇのフレームの識別情報を特定する（Ｓ７）。入力タイミング特定部１１２は、入力開始指示信号を生成し、特定されたフレームの識別情報とともに入力情報生成部１１３に送る。
【０１２３】
入力開始指示信号等を受けた入力情報生成部１１３は、入力情報を生成する処理を開始する（Ｓ８）。特に、入力情報生成部１１３は、前述した時系列情報や関連情報の生成処理を開始する。
【０１２４】
オペレータは、操作部１３を操作して所見情報を適宜に入力する（Ｓ９）。主制御部１１１は、入力された所見情報を所見入力画面に表示させる（Ｓ１０）。
【０１２５】
また、入力情報生成部１１３は、入力された所見情報に基づいて時系列情報（及び関連情報）を生成する（Ｓ１１）。ここで、時系列情報や関連情報は、この所見情報に対して、その入力開始時のフレームや入力終了時のフレームを関連付ける情報である。入力開始時のフレームを符号Ｇｓで表し、入力終了時のフレームを符号Ｇｅで表すことにする。
【０１２６】
所見情報の入力（ステップ９）、所見情報の表示（ステップ１０）、及び時系列情報の生成（ステップ１１）は、オペレータにより終了ボタンが操作されるまで適宜に反復される（Ｓ１２：Ｎｏ）。
【０１２７】
終了ボタンが操作されると（Ｓ１２：Ｙｅｓ）、主制御部１１１は、操作部１３からの入力終了信号を入力タイミング特定部１１２に送る。
【０１２８】
入力終了信号を受けた入力タイミング特定部１１２は、所見情報の入力作業の終了タイミングに対応する医用画像Ｇのフレームの識別情報を特定する（Ｓ１３）。入力タイミング特定部１１２は、入力終了指示信号を生成し、特定されたフレームの識別情報とともに入力情報生成部１１３に送る。
【０１２９】
入力終了指示信号等を受けた入力情報生成部１１３は、入力情報を生成する処理を終了する（Ｓ１４）。生成された入力情報Ｐには、時系列情報や関連情報などが含まれている。入力情報生成部１１３は、入力情報Ｐを主制御部１１１に送る。主制御部１１１は、入力情報Ｐを記憶部１２に記憶させる（Ｓ１５）。
【０１３０】
このとき、入力情報Ｐは、医用画像Ｇに関連付けられて記憶部１２に記憶される。この関連付けは、任意の情報を媒介にして行われる。たとえば、この関連付けは、医用画像Ｇの画像ＩＤ等の識別情報を介して行うことができる。また、この関連付けは、医用画像Ｇの撮影日時や所見情報の入力日時等の日時情報を介して行うこともできる。以上で、所見情報の入力作業における動作態様の説明を終了する。
【０１３１】
〔所見情報及び医用画像の閲覧〕
所見情報及び医用画像（動画像）の閲覧作業における医療情報処理装置１の動作態様について、図５を参照しつつ説明する。この動作態様の前提として、記憶部１２には医用画像Ｇ、入力情報Ｐ及び撮影情報Ｑが予め記憶されている。
【０１３２】
ここで説明する動作態様は、静止画像からなる所見情報を、動画像からなる医用画像上にオーバーレイ表示するものである。
【０１３３】
まず、主制御部１１１は、オペレータの指示に対応して、医用画像Ｇと入力情報Ｐを記憶部１２から読み出し、医用画像Ｇを表示可能な状態にする（Ｓ２１）。それにより、たとえば、医用画像Ｇの最初のフレームＧ１が表示部１４に表示される。
【０１３４】
更に、主制御部１１１は、医用画像Ｇの最初のフレームＧ１上に、所見情報を表示するための画面（所見表示画面）を重ねて表示させる（Ｓ２２）。この所見表示画面は、所見入力画面と同様に、透明又は半透明のレイヤである。
【０１３５】
なお、所見表示画面と医用画像Ｇの表示画面とが同じサイズである場合には、双方の位置が一致するように重畳される。また、画面のサイズが異なる場合には、所見情報の入力時における、医用画像Ｇの表示画面に対する所見入力画面の位置と同じ位置に所見表示画面を表示させる。この場合、所見情報の入力時における双方の画面の位置関係を表す情報（画面位置情報）を入力情報Ｐに記録しておく。この画面位置情報は、たとえば、双方の画面の特徴位置（画面の左上端、画面中心など）の相対位置を表す情報である。なお、所見表示画面のサイズは所見入力画面と同じサイズであることが望ましい。
【０１３６】
オペレータにより医用画像Ｇ及び所見情報の閲覧開始の指示がなされると（Ｓ２３）、主制御部１１１は、表示部１４を制御して医用画像Ｇの動画表示を開始させる（Ｓ２４）。
【０１３７】
主制御部１１１は、入力情報Ｐ（時系列情報や関連情報）を参照し、所見情報の入力開始時のフレームＧｓに切り替え表示させるときに（Ｓ２５）、所見表示画面に所見情報を表示させる（Ｓ２６）。
【０１３８】
このとき、主制御部１１１は、当該所見情報を、その入力終了時における形態で表示させる。たとえば、図２の時系列情報Ｔに示す計時時間２．８０〜２．９６秒の間に入力された所見情報を表示させる場合、主制御部１１１は、これらの計時時間に対応するカーソル位置を時系列の順に連結させて矩形の領域（矩形の枠）を特定し、この矩形の領域を表す画像を所見表示画面に表示させる。
【０１３９】
また、計時時間３．２０秒に入力されたコメントを表示させる場合、主制御部１１１は、このコメントに関連付けられた入力内容（コメントの内容）を入力情報Ｐから取得して所見表示画面に表示させる。
【０１４０】
更に、主制御部１１１は、入力情報Ｐを参照し、当該所見情報の入力終了時のフレームＧｅを切り替え表示させるときに（Ｓ２７）、所見表示画面による当該所見情報の表示を終了させる（Ｓ２８）。
【０１４１】
複数の所見情報が入力されている場合には、各所見情報についてステップ２５〜２８を順次に実行する（Ｓ２９：Ｎｏ）。
【０１４２】
最後の所見情報までこれらのステップ２５〜２８を実行したら（Ｓ２９：Ｙｅｓ）、主制御部１１１は、医用画像Ｇを最後まで動画表示させる（Ｓ３０）。
【０１４３】
このような動作態様の具体例として、図２の時系列情報Ｔに示す複数の所見情報を閲覧する場合について説明する。なお、以下の具体例に示す表示態様は、たとえばオペレータによって適宜に選択できる。
【０１４４】
第１の具体例として、時系列情報Ｔに示す全ての所見情報を一括りにした場合には、医用画像Ｇの表示開始から２．８０秒経過したときに（計時時間２．８０秒に対応するフレームに切り替え表示されるときに：以下同様）、矩形の領域、円形マーク、コメント及び血管の走行位置が全て表示される。そして、これらの表示は、３．５２秒経過時に終了される。
【０１４５】
なお、これらの所見情報の表示開始タイミングは、開始ボタンが操作された２．６０秒経過時であってもよい。また、これらの所見情報の表示終了タイミングは、終了ボタンが操作された３．６４秒経過時であってもよい。
【０１４６】
第２の具体例として、時系列情報Ｔに示す四つの所見情報をそれぞれ個別に取り扱う場合には、医用画像Ｇの表示開始から２．８０秒経過時に矩形の領域が表示され、３．１２秒経過時に円マークが表示され、３．２０秒経過時にコメントが表示され、３．４４秒経過時に血管の走行位置が表示される。
【０１４７】
なお、各所見情報の表示終了タイミングは任意に設定できる。たとえば、最後の所見情報（血管の走行位置）の入力終了タイミングである３．５２秒経過時に全ての所見情報の表示を終了させることができる。また、終了ボタンが操作された３．６４秒経過時に全ての所見情報の表示を終了させることもできる。また、各所見情報の入力終了タイミングに応じて所見情報の表示を個別に終了させることもできる。
【０１４８】
第３の具体例として、矩形の領域からなる第１の所見情報、円マーク及びコメントからなる第２の所見情報、及び血管の走行位置からなる第３の所見情報に分けた場合について説明する。この場合、各所見情報の間に開始ボタン及び終了ボタンの操作がなされていることが望ましい（人為的な分け方であるから）。なお、所見情報の入力位置や、入力タイミングに応じて自動的に分類するように構成することも可能である。
【０１４９】
さて、第３の具体例では、医用画像Ｇの表示開始から２．８０秒経過時に矩形の領域が表示され、３．１２秒経過時に円マーク及びコメントが表示され、３．４４秒経過時に血管の走行位置が表示される。各所見情報の表示終了タイミングは、第２の具体例と同様に任意に設定できる。
【０１５０】
なお、これらの具体例以外にも、これらの所見情報を任意のグループに分けることができる。また、各グループを任意のタイミングで表示させることができ、任意のタイミングで各グループの表示を終了させることができる。
【０１５１】
医用画像Ｇが眼底の蛍光動画像である場合の表示例を図７に示す。なお、全てのフレームを記載するのは煩雑であるので、図７では一部のフレームのみを記載している。ここで、フレームＧｋ１は時間０〜５秒の間に表示され、フレームＧｋ２は時間５〜１０秒の間に表示され、フレームＧｋ３は時間１０〜１５秒の間に表示され、フレームＧｋ４は時間１５〜２０秒の間に表示され、フレームＧｋ５は時間２０〜２５秒の間に表示される。これらのフレームＧｋ１〜Ｇｋ５は、時間の経過に伴って、蛍光剤が眼底血管に流入し、その範囲を広げていく様子を表している。
【０１５２】
まず、時間０秒に医用画像Ｇの最初のフレームＧ１（図示せず）が表示され、所定のフレームレートでフレームＧ２、Ｇ３、・・・が順に表示される。この表示例では、時間１０〜１７秒の間に所見情報が入力されたものとする。
【０１５３】
時間１０秒に対応するフレームを表示させるときに、主制御部１１１は、当該所見情報を所見表示画面Ｈに表示させる。当該所見情報は、時間１７秒に対応するフレームの次のフレームが表示されるまで継続して表示される。
【０１５４】
時間１７秒に対応するフレームの次のフレームを表示させるときに、主制御部１１１は、当該所見情報の表示を終了させる。更に、主制御部１１１は、それ以降のフレームを順次に表示させる。
【０１５５】
この表示例によれば、所見情報の入力が開始されたタイミングで所見情報の表示が開始され、所見情報の入力が終了したタイミングで所見情報の表示を終了する。
【０１５６】
〔所見情報及び医用画像の閲覧〕
所見情報及び医用画像（動画像）の閲覧作業における医療情報処理装置１の動作態様について、図６を参照しつつ説明する。この動作態様の前提として、記憶部１２には医用画像Ｇ、入力情報Ｐ及び撮影情報Ｑが予め記憶されている。
【０１５７】
ここで説明する動作態様は、動画像からなる所見情報を、動画像からなる医用画像上にオーバーレイ表示するものである。なお、この動作態様では、表示対象の所見情報は一つであるとする。また、時系列情報は、医用画像Ｇのフレーム間隔と同じ時間間隔でカーソル位置等を記録したものであるとする。また、所見情報は、たとえばペン・タブレットで手書き入力した場合のように、ある程度の時間（フレームＧｓ〜Ｇｅの間）を掛けて入力されたものとする。
【０１５８】
まず、主制御部１１１は、オペレータの指示に対応して、医用画像Ｇと入力情報Ｐを記憶部１２から読み出し、医用画像Ｇを表示可能な状態にする（Ｓ４１）。それにより、たとえば、医用画像Ｇの最初のフレームＧ１が表示部１４に表示される。
【０１５９】
更に、主制御部１１１は、医用画像Ｇの最初のフレームＧ１上に所見表示画面（レイヤ）を重ねて表示させる（Ｓ４２）。
【０１６０】
オペレータにより医用画像Ｇ及び所見情報の閲覧開始の指示がなされると（Ｓ４３）、主制御部１１１は、表示部１４を制御して医用画像Ｇの動画表示を開始させる（Ｓ４４）。
【０１６１】
主制御部１１１は、入力情報Ｐ（時系列情報や関連情報）を参照し、所見情報の入力開始時のフレームＧｓに切り替え表示させるときに（Ｓ４５）、このフレームＧｓのタイミングにて入力された情報を所見表示画面に表示させる（Ｓ４６）。
【０１６２】
更に、主制御部１１１は、次のフレームＧ（ｓ＋１）に切り替え表示させるときに（Ｓ４５）、フレームＧｓ、Ｇ（ｓ＋１）のタイミングにてそれぞれ入力された情報を所見表示画面に表示させる（Ｓ４６）。
【０１６３】
このとき、主制御部１１１は、各タイミングにて入力された情報を補間する画像を生成して表示させるようにしてもよい。たとえば、線状の所見情報を入力する場合、各フレームのタイミングにて入力された情報は「点」（カーソル位置）であるが、主制御部１１１は、これらの点の間を結ぶ線状の画像を生成して表示させることができる。
【０１６４】
このような補間処理は、たとえば、入力順序が隣接した二つの情報の間のみに施される。その具体例として、第１〜第３の点が当該順序で入力された場合、第１の点と第２の点とを結ぶ第１の線状の画像と、第２の点と第３の点とを結ぶ第２の線状の画像とを生成し、第１の点と第３の点とを結ぶ線状の画像については生成しない。このような処理を行うことにより、フレームＧ（ｓ＋１）までの所見情報の入力内容が表示される。
【０１６５】
また、ステップ４６において複数のフレームに係る情報を表示させる場合、フレームＧｓのタイミングにて入力された情報と、フレームＧ（ｓ＋１）のタイミングにて入力された情報は、同じレイヤによって表示してもよいし、異なるレイヤにそれぞれ表示し、これらレイヤを重畳表示するようにしてもよい。
【０１６６】
主制御部１１１は、この要領でステップ４５、４６を反復して実行させる（Ｓ４７：Ｎｏ）。主制御部１１１は、フレームＧｅを表示させるときに（Ｓ４５）、フレームＧｓ、Ｇ（ｓ＋１）、Ｇ（ｓ＋２）、・・・・、Ｇｅのタイミングにてそれぞれ入力された情報を所見表示画面に表示させる（Ｓ４６）。それにより、フレームＧｅまでの所見情報の入力内容が表示される。
【０１６７】
フレームＧｅまで表示させたら（Ｓ４７：Ｙｅｓ）、主制御部１１１は、次のフレームＧ（ｅ＋１）を表示させるとともに（Ｓ４８）、所見情報の表示を終了させる（Ｓ４９）。
【０１６８】
なお、所見情報の表示を終了させるタイミングはこれに限定されるものではなく、任意のタイミングで所見情報の表示を終了させることが可能である。特に、複数の所見情報を動画表示させる場合には、所見情報を残したまま新たな所見情報の動画表示を行うようにしてもよい。
【０１６９】
更に、主制御部１１１は、医用画像Ｇを最後まで動画表示させ（Ｓ５０）、処理を終了する。
【０１７０】
この動作態様の具体例として、図２の時系列情報Ｔに示す所見情報を動画表示する場合について説明する。医用画像Ｇの動画表示の開始から２．８０秒経過後に矩形の領域の描画が開始される。この描画処理は、所見表示画面の座標値（４１，５７）の位置から開始されて座標値（４１，６５）の位置に向かって序々に線状の画像が延びていく。線状の画像は、２．８４秒経過後に座標値（４１，６５）の位置に到達する。
【０１７１】
次に、座標値（４１，６５）の位置から座標値（５０，６５）の位置に向かって線状の画像が延びていく。線状の画像は、２．８８秒経過後に座標値（５０，６５）の位置に到達する。
【０１７２】
同様に、線状の画像は、座標値（５０，６５）の位置から座標値（５０，５７）の位置に向かって延びていき、２．９２秒経過後に座標値（５０，５７）の位置に到達する。更に、線状の画像は、座標値（５０，５７）の位置から座標値（４１，５７）の位置に向かって延びていき、２．９６秒経過後に座標値（４１，５７）の位置に到達する。この到達位置は、線状の画像の描画開始位置である。
【０１７３】
すなわち、２．８０秒経過後から２．９６秒経過後までの間に、これら４つの点を頂点とする矩形の領域を表す画像（枠状の画像）が描画される。この描画手順は、所見情報の入力作業においてオペレータが当該矩形の領域を入力した手順を再現したものである。
【０１７４】
医用画像Ｇの動画表示開始から３．１２秒経過後には、座標値（６２，７４）を中心とする円形マークが表示される。更に、３．２０秒経過後には、コメントが表示される。このコメントは、座標値（６２，７４）を指し示す引き出し線を伴っている。
【０１７５】
更に、３．４４秒経過後から３．５２秒経過後までの間には、座標値（１０５，８１）の位置を始点とし、座標値（１０６，９０）の位置を経由し、座標値（１０８，９７）の位置を終点とする線上の画像が描画される。
【０１７６】
この表示態様によれば、所見情報の入力作業においてオペレータが入力した所見情報を、入力時と同じタイミングになるように、医用画像Ｇの動画表示に同期させて表示することが可能である。
【０１７７】
［作用・効果］
医療情報処理装置１の作用及び効果について説明する。
【０１７８】
医療情報処理装置１は、医用画像Ｇ（動画像）を参照しつつ所見情報を入力する作業を行う際に、まず、医用画像Ｇを表示部１４に表示させるとともに、透明又は半透明のレイヤ（所見入力画面）を医用画像Ｇ上に重ねて表示させる。オペレータが操作部１３を用いて所見情報を入力すると、医療情報処理装置１は、この所見情報を所見入力画面に表示させる。更に、医療情報処理装置１は、この所見情報を医用画像Ｇに関連付けて記憶部１２に記憶させる。
【０１７９】
このように作用する医療情報処理装置１によれば、医用画像Ｇ上に直接に入力するような感覚で所見情報を入力できるので、医用画像Ｇに基づく所見の記入作業を容易に行うことが可能である。
【０１８０】
また、医療情報処理装置１は、所見情報の入力の開始や終了のタイミングに対応する医用画像Ｇのフレームを特定し、入力された所見情報と特定されたフレームとを関連付ける関連情報（入力情報Ｐ）を生成するように作用する。それにより、動画像（医用画像Ｇ）のどのタイミングで所見情報の入力が行われたかを関連情報として記録しておくことができる。
【０１８１】
この関連情報を参照することにより、医用画像Ｇのどのタイミングで所見情報の入力が行われたかを把握できる。また、以下に説明するように、医用画像Ｇと所見情報とを同期させて再生表示することが可能になる。
【０１８２】
医用画像Ｇと所見情報の再生表示において、医療情報処理装置１は、医用画像Ｇ、所見情報及び関連情報を記憶部１２から読み出し、医用画像Ｇを表示部１４に表示させるとともに、透明又は半透明のレイヤ（所見表示画面）を医用画像Ｇ上に重ねて表示させる。そして、医療情報処理装置１は、関連情報に基づくタイミングで、所見情報を所見表示画面に表示させる。
【０１８３】
「関連情報に基づくタイミング」とは、医用画像Ｇのフレームとの対応関係、つまり所見情報の入力が開始（終了）されたときに表示されていたフレームとの対応関係を意味している。
【０１８４】
このような再生表示を行うことにより、所見情報の入力作業時と同じタイミングで、所見情報の表示を開始し終了することができる。それにより、動画像に基づく所見の入力内容を容易に把握することができる。また、動画像に基づく所見のレビュー作業を容易に行うことができる。
【０１８５】
また、医療情報処理装置１によれば、医用画像Ｇと所見情報の再生表示において、入力完成時における所見情報の静止画像を表示することができる。この静止画像は、たとえば、所見情報の入力期間（入力開始から終了までの期間）に対応する期間だけ医用画像Ｇ上に表示される。
【０１８６】
また、医療情報処理装置１は、入力された所見情報を時系列に沿って記録した時系列情報を生成し、入力情報Ｐとして記憶するように作用する。時系列情報は、たとえば、図２の時系列情報Ｔのように、所見情報の入力タイミングと医用画像Ｇのフレームとを対応付ける情報である。一般に、時系列情報に用いられる時系列は、医用画像Ｇ側の時系列（フレームの順番や、再生開始からの経過時間など）に対応付けられている。
【０１８７】
このような時系列情報を用いることにより、医用画像Ｇのどのタイミングで所見情報の入力が行われたかを把握できる。また、以下に説明するように、医用画像Ｇと所見情報とを同期させて再生表示することが可能になる。
【０１８８】
すなわち、医療情報処理装置１は、医用画像Ｇと所見情報の再生表示において、医用画像Ｇ（身体部位の動画像）、入力された所見情報及び時系列情報を記憶部１２から読み出し、医用画像Ｇを表示部１４に表示させるとともに、透明又は半透明のレイヤ（所見表示画面）を医用画像Ｇ上に重ねて表示させる。更に、医療情報処理装置１は、時系列情報に基づいて、所見情報を表す動画像を医用画像Ｇに同期させて所見表示画面に表示させる。
【０１８９】
このような再生表示によれば、所見情報の入力作業時と同じタイミングで、所見情報の表示を開始し終了できるので、所見の入力内容を容易に把握することができ、また、医用画像Ｇに基づく所見のレビュー作業を容易に行うことができる。
【０１９０】
更に、この表示態様によれば、所見情報の動画像と医用画像Ｇ（動画像）を同期させて表示するようになっているので、入力時の状況を再現するように所見情報と医用画像Ｇを表示できるという利点もある。
【０１９１】
また、医療情報処理装置１は、一つの医用画像Ｇについて複数の所見情報が入力されたときに、各所見情報を医用画像Ｇに関連付けて記憶するように作用する。
【０１９２】
それにより、医用画像Ｇを参照しながら複数の所見情報を入力する場合であっても、医用画像Ｇ上に直接に入力するような感覚で複数の所見情報を入力できるので、所見の記入作業の容易化を図ることが可能になる。
【０１９３】
更に、医療情報処理装置１は、各所見情報の入力の開始タイミングや終了タイミングに対応する医用画像Ｇのフレームを特定し、各所見情報と特定されたフレームとを関連付ける関連情報を生成して記憶する。
【０１９４】
この関連情報を参照することにより、医用画像Ｇのどのタイミングで各所見情報が入力されたか把握することができる。また、以下に説明するように、医用画像Ｇと複数の所見情報とを同期させて再生表示することが可能になる。
【０１９５】
医療情報処理装置１は、医用画像Ｇと複数の所見情報の再生表示において、医用画像Ｇ、複数の所見情報及び関連情報を記憶部１２から読み出し、医用画像Ｇを表示部１４に表示させるとともに、透明又は半透明のレイヤ（所見表示画面）を医用画像Ｇ上に重ねて表示させる。そして、医療情報処理装置１は、関連情報に基づくタイミングで、各所見情報を所見表示画面に表示させる。
【０１９６】
このような再生表示を行うことにより、所見情報の入力作業時と同じタイミングで、各所見情報の表示を開始し終了することができる。それにより、動画像に基づく所見の入力内容を容易に把握でき、また、動画像に基づく所見のレビュー作業を容易に行うことができる。
【０１９７】
［変形例］
以上に詳述した構成や動作は、この発明に係る医療情報処理装置を実施するための一例に過ぎない。この発明を実施する際には、この発明の要旨の範囲内における任意の変形を適宜に施すことが可能である。
【０１９８】
上記の実施形態では、所見情報の入力作業の開始や終了をソフトウェアキーにより指示するようになっているが、これに限定されるものではない。たとえば、キーボード上のキーなどのハードウェアキーを用いて、入力作業の開始や終了を指示するように構成できる。
【０１９９】
また、動画像の表示の開始を受けて所見情報の入力の受け付けを開始し、動画像の表示の終了とともに入力の受け付けを終了するようにしてもよい。また、動画像の表示開始から最初の所見情報の入力を受けて所見情報の入力の受け付けを開始するようにしてもよい。
【０２００】
また、所見情報の入力から所定時間が経過したときに、入力終了と判断するようにしてもよい。更に、入力終了と判断してから再度入力が開始されたときに、所見情報の入力の受け付けを再開するようにしてもよい。
【０２０１】
また、上記の矩形の領域を入力するときのように、一筆書きの要領で所見情報を入力する場合に、所見情報の入力が終了したことを受けて入力の受け付けを終了するようにしてもよい。具体例として、マウスのドラッグ操作が終了したときや、ペン・タブレットの入力ペンが表示画面から離れたときに、所見情報の入力の受け付けを終了するように構成できる。更に、ドラッグ操作が再開されたときや、入力ペンが再度表示画面に触れたときに、所見情報の入力の受け付けを再開するように構成できる。
【０２０２】
医用画像Ｇ（動画像）と所見情報を再生表示するときに、所見情報が表示されていない領域については、透明又は半透明のレイヤを医用画像Ｇ上に重ねて得られる表示色や明るさで提示される。
【０２０３】
一方、所見情報が表示されている領域については、所見情報を形成する画素（レイヤの画素）の不透明度やアルファ値等のレイヤの透明度を定めるパラメータを任意に設定できる。なお、このパラメータの設定は、オペレータが手入力で設定してもよいし、主制御部１１１が自動的に設定してもよい。
【０２０４】
所見情報を半透明で表示させる場合、所見情報の表示領域は、所見情報と医用画像Ｇとを混ぜ合わせた表示色で提示される。また、所見情報を不透明な状態で表示する場合には、所見情報の下に位置する医用画像Ｇの領域を視認することはできない。
【０２０５】
なお、不透明度等のパラメータを適宜に設定できるようにに構成することができる。また、所見情報を半透明で表示させるか不透明な状態で表示させるかを切り替え可能に構成することもできる。また、複数の所見情報が表示されるときに、所見情報毎に表示態様を設定できるようにしてもよいし、全ての所見情報の表示態様を一括で設定できるようにしてもよい。
【０２０６】
医用画像や所見情報を閲覧する際に、複数の対象の内から所望の対象を選択することが多々ある。特に、一の患者について複数の医用画像を撮影した場合に、このような状況が発生する。ここでは、このような選択作業の容易化を図るための構成例を説明する。以下、図１を参照する。
【０２０７】
記憶部１２には、各患者毎に医療情報が記憶されている。各患者の医療情報は、患者ＩＤ等の識別情報により識別可能に管理されている。また、各患者の医療情報は、各診療日等に管理されている。各診療日の医療情報は、診療日時情報により識別可能に管理されている。また、各医療情報には、その情報の種別を表す識別情報が付されており、画像、所見情報、検査結果等の識別が可能とされている。
【０２０８】
オペレータは、操作部１３を用いて医用画像等の閲覧作業の開始を指示する。この指示を受けた主制御部１１１は、所定の閲覧画面（図示せず）を表示部１４に表示させる。この閲覧画面には、患者ＩＤや患者氏名を入力するスペースが設けられている。オペレータは、操作部１３を操作して患者ＩＤ等を入力する。
【０２０９】
主制御部１１１は、入力された患者ＩＤ等に基づき、この患者ＩＤに関連付けられた医療情報を記憶部１２から検索する。それにより、複数の診療日の医療情報が検索されたとする。主制御部１１１は、検索された医療情報の診療日のリストを表示する。オペレータは、操作部１３を用いて所望の診療日を指定する。
【０２１０】
主制御部１１１は、指定された診療日に対応する医用画像を記憶部１２から読み出し、必要に応じて各医用画像の縮小画像（たとえばサムネイル）を生成する。各医用画像には、撮影情報Ｑ等の付帯情報が付されている。たとえば眼科分野においては、撮影日時情報、撮影眼情報（左眼／右眼）、撮影機器情報、撮影種別情報、撮影画角などが付帯情報に含まれる。また、所見情報の入力に用いられた医用画像には、入力情報（時系列情報、関連情報等）が付帯されている。
【０２１１】
主制御部１１１は、これらの医用画像を並べて表示部１４に表示させる。各医用画像には、付帯情報（の一部）が付されて表示される。この表示画面を画像一覧画面と呼ぶ。
【０２１２】
画像一覧画面の例を図８に示す。画像一覧画面３００には、複数の医用画像（眼底画像）Ｌｉ（ｉ＝１、２、３、・・・）が縦横に並べて表示されている。各医用画像Ｌｉには、撮影日時や撮影種別等の情報が付されている。
【０２１３】
オペレータは、所望の医用画像Ｌｉを選択する。この選択操作は、たとえば、マウスで所望の医用画像Ｌｉをダブルクリックすることにより行う。また、所望の医用画像Ｌｉをクリックし、更にＯＫボタン３０１をクリックすることにより選択することもできる。
【０２１４】
主制御部１１１は、選択された医用画像Ｌｉを拡大表示させる。この医用画像Ｌｉが所見情報付きの画像である場合、主制御部１１１は、上記の実施形態で説明した表示態様で医用画像Ｌｉと所見情報を表示させる。
【０２１５】
このような画像一覧画面３００によれば、静止画像、動画像、所見情報付きの動画像などの様々な形態の医用画像を一覧表示できる。また、画像一覧画面３００から選択された医用画像が所見情報付きの動画像である場合には、上記の実施形態と同様にして医用画像と所見情報を閲覧することができる。なお、静止画像が選択された場合や、所見情報が付帯されていない動画像が選択された場合には、従来と同様にして医用画像等を閲覧できる。
【図面の簡単な説明】
【０２１６】
【図１】この発明に係る医療情報処理装置の実施形態の構成の一例を表す概略ブロック図である。
【図２】この発明に係る医療情報処理装置の実施形態により生成される時系列情報の一例を表す概略図である。
【図３】この発明に係る医療情報処理装置の実施形態のハードウェア構成の一例を表す概略ブロック図である。
【図４】この発明に係る医療情報処理装置の実施形態の動作態様の一例を表すフローチャートである。
【図５】この発明に係る医療情報処理装置の実施形態の動作態様の一例を表すフローチャートである。
【図６】この発明に係る医療情報処理装置の実施形態の動作態様の一例を表すフローチャートである。
【図７】この発明に係る医療情報処理装置の実施形態による医用画像及び所見情報の表示例を説明するための概略説明図である。
【図８】この発明に係る医療情報処理装置の実施形態の変形例により表示される画像一覧画面の一例を表す概略図である。
【符号の説明】
【０２１７】
１  医療情報処理装置
１１  制御部
１１１  主制御部
１１２  入力タイミング特定部
１１３  入力情報生成部
１２  記憶部
Ｇ  医用画像
Ｐ  入力情報
Ｑ  撮影情報
１３  操作部
１４  表示部
１００  コンピュータ
１０１  マイクロプロセッサ
１０２  ＲＡＭ
１０３  ＲＯＭ
１０４  ハードディスクドライブ
１０４ａ  プログラム
１０５  ペン・タブレット
１０６  ディスプレイ
１０７  キーボード
１０８  マウス
１０９  通信インターフェイス
２００  データベース
３００  画像一覧画面
Ｔ  時系列情報
Ｇｋ１〜Ｇｋ５  フレーム
Ｈ  所見表示画面
【図１】
2009080545.tif 000003
【図２】
2009080545.tif 000004
【図３】
2009080545.tif 000005
【図４】
2009080545.tif 000006
【図５】
2009080545.tif 000007
【図６】
2009080545.tif 000008
【図７】
2009080545.tif 000009
【図８】
2009080545.tif 000010